(57)【要約】【課題】無停電電源装置の大容量化、高信頼性の要求が高まるにつれ、複数台のインバータを並列運転し、バックアップの商用交流電源に無瞬時に切替える回路を備えた無停電電源装置が増加しているが、このシステムにおいて、従来商用同期発振回路の異常時に、各インバータにそれぞれ設けられた水晶発振回路の内、異常検出した回路からの信号で他方の発振器回路に切替える方式が示されているが、いずれか一方の水晶発振回路が異常となると同期がとれないという問題を解決することを目的とし、一方が異常となっても他方を基準となるよう切替え可能なシステムを提供する。【解決手段】第１、第２のインバータ回路に並設された第１、第２のバイパス回路のいずれかの回路に異常発生時、第２のインバータ回路基準電圧を第１のインバータ回路基準電圧と同期するよう回路を選択する。【選択図】        図１
2004336856.tif 000002
【特許請求の範囲】
【請求項１】
第１の無停電電源装置と、第２の無停電電源装置とを備えた無停電電源システムであって、前記第１の無停電電源装置には第１のインバータ回路とこれに並列の第１のバイパス回路が設けられ、前記第２の無停電電源装置には第２のインバータ回路とこれに並列の第２のバイパス回路が設けられており、通常運転時には前記第１、第２のインバータ回路は、それぞれ前記第１、第２のバイパス回路電圧を基準電圧とするよう回路が選択されており、前記第１または第２のバイパス回路に異常が発生したとき、前記第２のインバータ回路の基準電圧を前記第１のインバータ回路の基準電圧と同期するよう、前記第２の無停電電源装置に設けられたリレーによって回路が選択されることを特徴とする無停電電源システム。
【請求項２】
第１の無停電電源装置と、第２の無停電電源装置とを備えた無停電電源システムであって、前記第１の無停電電源装置に設けられた第１のインバータ回路と並列の第１のバイパス回路の発する第１のバイパス電圧出力信号とバイパス状態検知リレーの信号とが前記第２の無停電電源装置に出力されており、前記第２の無停電電源装置に設けられた第２のインバータ回路と並列の第２のバイパス回路の発する第２のバイパス電圧出力信号が電圧センサリレーに出力されるとともに、前記電圧センサリレーは３接点リレーおよび前記第１の無停電電源装置に設けられた前記バイパス状態検知リレーに接続されており、前記３接点リレーは前記第１、第２のバイパス電圧と、前記第２の無停電電源装置の第２のインバータ回路の点弧パルス基準位相を発するメインボードにつながっており、前記第１の無停電電源装置の前記第１のバイパス回路が異常となったとき、前記バイパス状態検知リレー、電圧センサリレーを介して、あるいは前記第２の無停電電源装置の第２のバイパス回路が異常となったとき、前記電圧センサリレーを介して、前記第２のインバータ回路の基準電圧を前記第１のインバータ回路の基準電圧と同期するよう、前記３接点リレーによって回路が選択されることを特徴とする無停電電源システム。
【請求項３】
第１のサブ無停電電源システムと第２のサブ無停電電源システムとを具備した無停電電源システムであって、前記第１のサブ無停電電源システムには並列に設けられた第１のマスタ無停電電源装置と第１のスレーブ無停電電源装置とにつながる第１のスレーブ同期切替え装置とが備えられており、前記第２のサブ無停電電源システムには並列に設けられた第２のマスタ無停電電源装置と第２のスレーブ無停電電源装置とにつながる第２のマスタ同期切替え装置とが備えられており、前記第１のマスタ無停電電源装置には、第１のインバータ回路とこれに並列に第１のバイパス回路とが設けられており、前記第１のスレーブ無停電電源装置には、第２のインバータ回路とこれに並列の第２のバイパス回路とが設けられており、前記無停電電源システムの通常運転時には前記第１、第２のインバータ回路は、それぞれ前記第１、第２のバイパス回路の電圧が基準電圧となるよう前記第１のマスタおよび第１のスレーブ無停電電源装置内に設けられた回路が選択されており、前記第１または第２のバイパス回路のいずれかに異常が発生したとき、前記第１、第２のインバータ回路の基準電圧を前記第２のサブ無停電電源システムの前記第２のマスタ同期切替え装置の出力する電圧と同期するよう、前記第１のサブ無停電電源システムの前記第１のスレーブ同期切替え装置内に設けられた回路が選択されることを特徴とする無停電電源システム。
【請求項４】
第１のサブ無停電電源システムと第２のサブ無停電電源システムとを具備した無停電電源システムであって、前記第１のサブ無停電電源システムには並列に設けられた第１のマスタ無停電電源装置と第１のスレーブ無停電電源装置とにつながる第１のスレーブ同期切替え装置とが備えられており、前記第２のサブ無停電電源システムには、並列に設けられた第２のマスタ無停電電源装置と第２のスレーブ無停電電源装置とにつながる第２のマスタ同期切替え装置とが備えられており、前記第１のマスタ無停電電源装置には、第１のインバータ回路とこれに並列に第１のバイパス回路とが設けられており、前記第１のスレーブ無停電電源装置には、第２のインバータ回路とこれに並列に第２のバイパス回路とが設けられており、前記第２のマスタ無停電電源装置には第３のインバータ回路とこれに並列に第３のバイパス回路とが設けられており、前記第２のスレーブ無停電電源装置には、第４のインバータ回路とこれに並列に第４のバイパス回路とが設けられており、通常運転時には前記第１〜第４のインバータ回路はそれぞれ第１〜第４のバイパス回路の電圧が基準電圧となるよう前記第１、第２のマスタおよび第１、第２のスレーブ無停電電源装置内に設けられた回路が選択されており、前記第２のサブ無停電電源システムの第３または第４のバイパス回路のいずれかに異常が発生したとき、前記第３、第４のインバータ回路の基準電圧を、前記第１のサブ無停電電源システムの第１および第２のインバータ回路の基準電圧と同期するよう、前記第１のサブ無停電電源システムの前記第１のスレーブ同期切替え装置内に設けられた回路が選択されることを特徴とする無停電電源システム。
【請求項５】
第１のサブ無停電電源システムと第２のサブ無停電電源システムとを具備した無停電電源システムであって、前記第１のサブ無停電電源システムには、並列に設けられた第１のマスタ無停電電源装置と第１のスレーブ無停電電源装置とにつながる第１のスレーブ同期切替え装置とが備えられており、前記第２のサブ無停電電源システムには、並列に設けられた第２のマスタ無停電電源装置と第２のスレーブ無停電電源装置とにつながる第２のマスタ同期切替え装置とが備えられており、前記第１のマスタ無停電電源装置には、第１のインバータ回路とこれに並列に第１のバイパス回路とが設けられており、前記第１のスレーブ無停電電源装置には、第２のインバータ回路とこれに並列に第２のバイパス回路とが設けられており、前記第２のマスタ無停電電源装置には第３のインバータ回路とこれに並列に第３のバイパス回路とが設けられており、前記第２のスレーブ無停電電源装置には、第４のインバータ回路とこれに並列に第４のバイパス回路とが設けられており、前記無停電電源システムの通常運転時には前記第１〜第４のインバータ回路はそれぞれ第１〜第４のバイパス回路の電圧が基準電圧となるよう、前記第１、第２のマスタおよび第１、第２のスレーブ無停電電源装置内に設けられた回路が選択されているとともに、前記第１のスレーブ同期切替え装置にはスレーブ選択判定回路が設けられており、前記スレーブ選択判定回路の選択により、前記第１のスレーブ同期切替え装置と第２のマスタ同期切替え装置の機能を交代させるとともに、前記第１、第２のバイパス回路に異常が発生したとき、前記第１、第２のバイパス回路の基準電圧を前記第３、第４のインバータ回路の基準電圧を同期するよう、または第３、第４のバイパス回路に異常が発生したとき、前記第３、第４のバイパス回路の基準電圧を前記第１、第２のインバータ回路の基準電圧と同期するよう、前記第１のサブ無停電電源システムの前記第１のスレーブ同期切替え装置内に設けられた回路が選択されることを特徴とする無停電電源システム。
【発明の詳細な説明】
【０００１】
【発明の属する技術分野】
この発明は、複数の台数の無停電電源装置で構成された無停電電源システムに係るものであって、特に複数の無停電電源装置を同期させる同期切替え方式を備えた無停電電源システムに関するものである。
【０００２】
【従来の技術】
無停電電源装置の大容量化や高信頼性の要求が高まるにつれ、複数台のインバータを並列運転し、かつバックアップとして商用交流電源に無瞬断で切替えるための切替回路を備えた無停電電源装置が増加してきている。このような従来のシステムにおける無停電電源装置において、商用同期発振回路の異常時には、各インバータの水晶発振回路による発信器回路システムをそれぞれ設け、出力周波数異常検出回路からの信号により、一方の発振器回路システムから他方の発振器回路に切替える方式が示されている（例えば、特許文献１参照）。
【０００３】
【特許文献１】
特開昭６２−８５６３９号公報（２３４頁、第１欄、図１）
【０００４】
【発明が解決しようとする課題】
しかしながら、前記特許文献１に示された従来技術による同期電圧切替方式では、異常発生時にそれぞれ個々に設けられた水晶発振器回路に切替えるため、いずれか一方の水晶発振回路が異常となると同期がとれないという問題点がある。
この発明は、前記のような課題を解決するためになされたものであり、例えば２台の無停電電源装置を同期させるのに必要な基準電圧を、いずれか一方の基準電圧が異常となった場合、他の一方を基準電圧とすることで異常発生時の切替えのより高い信頼性を有する無停電電源システムを提供することを目的としている。
【０００５】
【課題を解決するための手段】
第１の無停電電源装置と、第２の無停電電源装置とを備えた無停電電源システムであって、前記第１の無停電電源装置には第１のインバータ回路とこれに並列の第１のバイパス回路が設けられ、前記第２の無停電電源装置には第２のインバータ回路とこれに並列の第２のバイパス回路が設けられており、通常運転時には前記第１、第２のインバータ回路は、それぞれ前記第１、第２のバイパス回路電圧を基準電圧とするよう回路が選択されており、前記第１または第２のバイパス回路に異常が発生したとき、前記第２のインバータ回路の基準電圧を前記第１のインバータ回路の基準電圧と同期するよう、前記第２の無停電電源装置に設けられたリレーによって接続を切替えるものである。
【０００６】
【発明の実施の形態】
実施の形態１．
以下、この発明の実施の形態１を図に基づいて説明する。
図１において、無停電電源システム８００は、第１の無停電電源装置１００と第２の無停電電源装置２００で構成されている。第１の無停電電源装置（以下、第１のＵＰＳと称す）１００には、第１のインバータ回路１１とこれと並列に設けられた第１のバイパス回路１２と、前記第１のインバータ回路１１の第１の駆動用ゲートドライブ回路１３と、前記第１のバイパス回路１２の電圧を検知する第１のセンサ基板１７とこれにつながる第１のメインボード１４と、このメインボード１４からの信号を受けて、前記第１のバイパス回路１２のバイパス状態を検知するリレー１５と、第１のＰＴボード１６が設けられている。また、第２の無停電電源装置（以下、第２のＵＰＳと称す）２００には、第２のインバータ回路１１ａとこれと並列に設けられた第２のバイパス回路１２ａと、前記第２のインバータ回路１１ａの第２の駆動用ゲートドライブ回路１３ａと、第２のメインボード１４ａにつながる第２のセンサ基板１７ａと、前記第２のバイパス回路１２ａに接続された第２のバイパス電圧検知トランス１８ａと、これにつながる第２の電圧センサリレー１９ａおよび第２の３接点リレー２０ａと第２のＰＴボード１６ａとが設けられている。
前記第２の３接点リレー２０ａの２つの接点は、第２のバイパス回路１２ａに接続された第２のＰＴボード１６ａと、前記第１のＵＰＳ１００の第１のＰＴボード１６に接続されており、残りの１つの接点は第２のセンサ基板１７ａに接続され第２のインバータ回路１２ａへの点弧パルスの基準位相を発する第２のメインボート１４ａを介し、第２のゲートドライブ回路１３ａを経て第２のインバータ回路１１ａの基準電圧となるよう接続されている。
【０００７】
次に主要動作を説明する。
通常運転時には前記第２の３接点リレー２０ａがＡ側を選択しているので、第２のＵＰＳ２００の第２のインバータ１１ａの基準電圧は第２のバイパス回路１２ａの電圧となっている。また第１のＵＰＳ１００の第１のインバータ１１の基準電圧も第１のバイパス回路１２の電圧となっており、第１、第２のＵＰＳ１００、２００の出力電圧は同期された電圧となっている。
前記無停電電源システム８００の運転中に、例えば第１のバイパス回路１２に異常が発生してバイパス電圧が変動した場合、そのバイパス状態を検知したリレー１５が動作し、第２のＵＰＳ２００に設けられた電圧センサリレー１９ａを介して３接点リレー２０ａがＢ側を選択することによって、第１のＵＰＳ１００に設けられた第１のＰＴ１６を経た第１のＵＰＳ１００の出力電圧が、前記第２のＵＰＳの基準電圧となる。
また通常運転時に、例えば第２のＵＰＳ２００のバイパス回路１２ａに異常が発生して電圧が変動した場合、第２の電圧センサリレー１９ａがＢ側を選択するとともに、第２の３接点リレー２０ａもＢ側を選択することによって、前記第１のインバータ回路１１の出力電圧が、前記第２のインバータ回路１１ａの基準電圧となるため、前記ＵＰＳ１００とＵＰＳ２００とは同期した電圧を維持することができる。
このように第１、第２のＵＰＳ１００、２００のいずれか一方の基準電圧が、微妙な設定誤差や外乱等により異常となった場合でも、他の一方の基準電圧に切替えることが可能となり信頼性が向上する。なお図１で第１のＵＰＳ１００をマスタ、第２のＵＰＳ２００をスレーブと記しているが、必ずしもこれに限られるものでなく、逆であってもよい。
【０００８】
実施の形態２．
実施の形態２では、並列に設けられた無停電電源装置と同期切替え装置で構成されるサブ無停電電源システムが複数備えられた無停電電源システムの電圧同期について説明する。
図２において、無停電電源システム８１０は、第１のサブ無停電電源システム８００ａと、第２の無停電電源システム８００ｂとで構成されている。前記第１のサブ無停電電源システム８００ａは、第１のマスタＵＰＳ１００ａと第１のスレーブＵＰＳ２００ａと第１のスレーブ同期切替え装置２００とを備え、同様に第２のサブ無停電電源システム８００ｂは、第２のマスタＵＰＳ１００ｂと第２のスレーブＵＰＳ２００ｂと第２のマスタ同期切替え装置３００ａを備えている。
なお、第１、第２のサブ無停電電源システム８００ａ、８００ｂの第１のマスタのＵＰＳ１００ａと第２のマスタＵＰＳ１００ｂの内部構成、および第１のスレーブＵＰＳ２００ａと第２のスレーブＵＰＳ２００ｂの内部構成は同一である。また、第２のマスタ同期切替え装置３００ａはＯＲ回路である。
【０００９】
第１のマスタＵＰＳ１００ａには、第１のインバータ回路１１と並列に設けられた第１のバイパス回路１２と、第１の駆動用ゲートドライブ回路１３と第１のメインボード１４と、第１のＰＴボード１６とこれにつながり基準電圧を切替える第１の３接点リレー２０と第１のバイパス電圧を検知トランス１８と電圧リレー１９と第１の切替え判定回路２１が設けられている。
第１のスレーブＵＰＳ２００ａには、第２のインバータ回路１１ａと並列に設けられた第２のバイパス回路１２ａと、駆動用ゲートドライブ回路１３ａと、第２のメインボード１４ａにつながる第２のセンサ基板１７ａと、第２のバイパス電圧検知トランス１８ａと第２の電圧リレー１９ａおよび第２の切替え判定回路２１ａと、第２の３接点リレー２０ａおよび第３の３接点リレー２０ｂとこの第３の３接点リレー２０ｂにつながる接点２２が設けられている。
【００１０】
第１のスレーブ同期切替え装置３００は、前記第１のスレーブＵＰＳ２００ａの基準電圧切替え回路２３と、第１のマスタＵＰＳ１００ａの基準電圧切替え回路２７と、第１、第２のリレー２４、２５とインタロック回路２６、第１のマスタＵＰＳ１００ａ用基準電圧切替えリレー２８および第１のスレーブＵＰＳ２００ａ用基準電圧切替えリレー２８ａを有し、前記インタロック回路２６は、第１のスレーブＵＰＳ２００ａの出力電圧３０と第２のマスタ同期切替え装置３００ａの出力電圧３１を入力している。また前記第１のマスタＵＰＳ１００ａ用基準電圧切替え回路２７は第１のマスタＵＰＳ１００ａの出力電圧２９と第２のマスタ同期切替え装置３００ａの出力電圧３１を入力している。なお、第２のマスタＵＰＳ１００ｂには第３のインバータ回路１１ｂと第３のバイパス回路１２ｂ、第２のスレーブＵＰＳ２００ｂには第４のインバータ回路１１ｃと第４のバイパス回路１２ｃとが設けられている。その他の構成機器の説明は省略する。
【００１１】
次に動作について述べる。通常運転時は、前記実施の形態１で説明した動作と同様であるので省略する。
この無停電電源システム８１０は、前記第１のマスタＵＰＳ１００ａ、第１のスレーブＵＰＳ２００ａの基準電圧が何らかの原因によって異常となった場合、誤認の発生をなくする構成を有している。すなわち、第１のスレーブ同期切替え装置３００内の第１のスレーブＵＰＳ２００ａ用基準電圧切替え回路２３のインタロック回路２６により、前記第１のスレーブＵＰＳ２００ａへの基準電圧を、前記第１のスレーブＵＰＳ２００ａの出力電圧３０と前記第２のサブ無停電電源システム８００ｂに設けられた第２のマスタ同期切替え装置３００ａからの出力電圧３１とを同時に選択することなく、いずれか一方を選択できる構成としているので、第１のスレーブＵＰＳ２００ａへの基準電圧の誤認はない。また、第１のマスタＵＰＳ１００ａの基準電圧も前記第１のマスタＵＰＳ１００ａの基準電圧切替え回路２７により、前記第１のマスタＵＰＳ１００ａの出力電圧２９と第２のマスタ同期切替え装置３００ａからの出力電圧３１を同時に選択することなく、いずれか一方を選択でき、第１のマスタＵＰＳ１００ａへの基準電圧の誤認による不具合を無くすことができる。
なお、前記図２に示した実施の形態２では、第２のサブ無停電電源システム８００ｂを１式設ける例を示したが、これに限らず複数のサブ無停電電源システムを設けたものであってもよい。
【００１２】
実施の形態３．
実施の形態３を図３に基づいて説明する。
この実施の形態３の無停電電源システム８１０ａを構成する第１のサブ無停電電源システム８００ｃおよび第２のサブ無停電電源システム８００ｄ内の主要構成機器は、前述した実施の形態２と以下の点を除いて同じである。すなわち図３に示すように、第１のサブ無停電電源システム８００ｃを構成する第１のスレーブ同期切替え装置３００ｂには、第１の信号一括回路３２と、第２の信号一括回路３３とが設けられている。前記第１の信号一括回路３２は、第１のマスタＵＰＳ１００ａ内の第１の３接点リレー２０の出力と、第１のスレーブ同期切替え装置３００ｂ内の第１のマスタＵＰＳの基準電圧切替え回路２７の出力とを接続するものである。
また、前記第２の信号一括回路３３は、第１のスレーブＵＰＳ２００ａ内の第２の３接点リレー２０ａおよび第３の３接点リレー２０ｂの出力と、第１のスレーブ同期切替え装置３００ｂ内の第１、第２のリレー２４、２５の出力を接続するものである。このような実施の形態３の無停電電源システム８１０ａでは、前記実施の形態２の効果に加え、第１のスレーブＵＰＳ２００ａへの同期電圧送信回路を簡素化でき、かつ第１のマスタＵＰＳ１００ａと第１のスレーブＵＰＳ２００ａの同期電圧送信回路が同一の構成となり、標準化がはかれるという効果もある。
【００１３】
実施の形態４．
実施の形態４を図４に基づいて説明する。
この実施の形態４の無停電電源システム８１０ｂを構成する第１のサブ無停電電源システム８００ｅおよび第２のサブ無停電電源システム８００ｆ内の主要構成機器は、前述した実施の形態２と以下の点を除いて同じである。
すなわち図４に示すように、第１のサブ無停電電源システム８００ｅを構成する第１のスレーブ同期切替え装置３００ｃには、バイパス電圧受信回路３４が設けられている。前記バイパス電圧受信回路３４の出力は第１のマスタＵＰＳ１００ａ内の第１の切替え判定回路２１と、第１のスレーブＵＰＳ２００ａ内の第２の切替え判定回路２１ａに接続されており、さらに第２のサブ無停電電源システム８００ｆの第２のマスタ同期切替え装置３００ｄ内に設けられたバイパス電圧異常受信回路３５の出力を入力している。なお、前記バイパス電圧異常受信回路３５は、第２のマスタＵＰＳ１００ｂと第２のスレーブＵＰＳ２００ｂのバイパス電圧異常状態を入力するものである。このように、バイパス電圧異常受信回路３５とバイパス電圧受信回路３４を設けているので、第２のサブ無停電電源システム８００ｆ内の第３または第４のバイパス電圧異常発生を第１のマスタＵＰＳ１００ａと第１のスレーブＵＰＳ２００ａに同時に送信することができ、第１のマスタＵＰＳ１００ａと第１のスレーブＵＰＳ２００ａの切替え条件が不一致となることがない。
また、バイパス電圧受信回路３４が動作した場合、第１のマスタＵＰＳ１００ａ内の第１の３接点リレー２０と第１のスレーブ２００ａ内の第２の３接点リレー２０ａの回路は、接点Ｂ側を選択し、第１のスレーブ同期切替え装置３００ｃからの基準電圧を有効とし、かつ第１のマスタＵＰＳ１００ａと第１のスレーブＵＰＳ２００ａの基準電圧は、第１のスレーブ同期切替え装置３００ｃからの電圧に選択できるという効果がある。
【００１４】
実施の形態５．
実施の形態５を図５に基づいて説明する。
この実施の形態５の無停電電源システム８１０ｃを構成する第１のサブ無停電電源システム８００ｇおよび第２のサブ無停電電源システム８００ｆ内の主要構成機器は、前述した実施の形態４と以下の点を除いて同じである。
すなわち図５に示すように、第１のスレーブ同期切替え装置３００ｅには、基準電圧切替え信号受信リレー回路３６が設けられている。前記リレー回路３６は、第１のマスタＵＰＳ１００ａ、第１のスレーブＵＰＳ２００ａの第１、第２の切替え判定回路２１、２１ａおよび第１のマスタＵＰＳ１００ａ、第２のスレーブＵＰＳ２００ａの基準電圧切替えリレー２８、２８ａに接続されている。
このように基準電圧切替え信号受信リレー回路３６を設けているので、第１の切替え判定回路２１と第２の切替え判定回路２１ａの判定回路のいずれか一方が有効となれば、第１のマスタＵＰＳ１００ａ用基準電圧切替えリレー２８と、第１のスレーブＵＰＳ２００ａ用基準電圧切替えリレー２８ａが同時にＢ側を選択し、第１のマスタＵＰＳ１００ａと第１のスレーブＵＰＳ２００ａが基準電圧がともに同一の第２のサブ無停電電源システム８００ｆの出力電圧３１を選択することが可能となり、基準電圧が不一致となることがなくなり、一層信頼性の向上した同期切替え方法を備えた無停電電源システムとなる。
【００１５】
実施の形態６．
実施の形態６を図６に基づいて説明する。
この実施の形態６の無停電電源システム８１０ｄを構成する第１のサブ無停電電源システム８００ｈおよび第２のサブ無停電電源システム８００ｉ内の主要構成機器は、前述した実施の形態５と以下の点を除いて同じである。
すなわち図６に示すように、第１のスレーブ同期切替え装置３００ｆには、スレーブ選択判定回路３７が設けられている。前記スレーブ選択判定回路３７は、第１のマスタＵＰＳ１００ａ、第１のスレーブＵＰＳ２００ａの第１、第２の切替え判定回路２１、２１ａおよび基準電圧切替え受信リレー回路３６に接続され、第１のスレーブ同期切替え装置３００ｆがスレーブ選択で有効となる信号３８、または第２のマスタ同期切替え装置３００ｇがスレーブ選択で有効となる信号３９を出力する。
このようにスレーブ選択判定回路３７を設け、それを手動または自動によって操作することによって、第１のスレーブ同期切替え装置３００ｆと第２のマスタ同期切替え装置３００ｇとの機能を任意に交代させることが可能となり、第１、第２のバイパス回路１２、１２ａに異常が発生したときには、第１、第２のバイパス回路１２、１２ａの基準電圧を第３、第４のインバータ回路１１ｂ、１１ｃの基準電圧と同期するように、または第３、４のバイパス回路１２ｂ、１２ｃに異常が生じたときには、第３、第４のバイパス回路１２ｂ、１２ｃの基準電圧を第１、第２のインバータ回路１１、１１ａの基準電圧と同期するよう柔軟な無停電電源システムの運用ができるとともに、サブ無停電電源システムの回路の標準化が可能となる。
【００１６】
【発明の効果】
この発明は、以上述べたような構成の無停電電源システムであるので、以下のような効果がある。
すなわち、第１の無停電電源装置と、第２の無停電電源装置とを備え、第１の無停電電源装置には第１のインバータ回路とこれに並列の第１のバイパス回路が設けられ、第２の無停電電源装置には第２のインバータ回路とこれに並列の第２のバイパス回路が設けられており、通常運転時には第１、第２のインバータ回路は、それぞれ第１、第２のバイパス回路電圧を基準電圧とするよう回路が選択されており、第１または第２のバイパス回路に異常が発生したとき、第２のインバータ回路の基準電圧を第１のインバータ回路の基準電圧と同期するよう、第２の無停電電源装置に設けられたリレーによって回路が選択される構成の無停電電源システムであるので、第１、第２の無停電電源装置のいずれか一方の基準電圧が異常となっても、他の一方の基準電圧に切替えることができ、より信頼性の高い無停電電源システムとなるという優れた効果を奏する。
【図面の簡単な説明】
【図１】この発明の実施の形態１による無停電電源システムを示す回路図である。
【図２】この発明の実施の形態２による無停電電源システムを示す回路図である。
【図３】この発明の実施の形態３による無停電電源システムを示す回路図である。
【図４】この発明の実施の形態４による無停電電源システムを示す回路図である。
【図５】この発明の実施の形態５による無停電電源システムを示す回路図である。
【図６】この発明の実施の形態６による無停電電源システムを示す回路図である。
【符号の説明】
１１  第１のインバータ回路、１１ａ  第２のインバータ回路、
１１ｂ  第３のインバータ回路、１１ｃ  第４のインバータ回路、
１２  第１のバイパス回路、１２ａ  第２のバイパス回路、
１２ｂ  第３のバイパス回路、１２ｃ  第４のバイパス回路、
１３  バイパス状態検知リレー、１９，１９ａ  電圧センサリレー、
２０ａ  第２の３接点リレー、１００  第１のＵＰＳ、
１００ａ  第１のマスタＵＰＳ、１００ｂ  第２のマスタＵＰＳ、
２００  第２のＵＰＳ、２００ａ  第１のスレーブＵＰＳ、
２００ｂ  第２のスレーブＵＰＳ、
３００，３００ｂ，３００ｃ，３００ｅ，３００ｆ  第１のスレーブ同期切替え装置、
３００ａ，３００ｄ，３００ｇ  第２のマスタ同期切替え装置、
８００，８１０，８１０ａ，８１０ｂ，８１０ｃ，８１０ｄ  無停電電源システム、
８００ａ，８００ｃ，８００ｅ，８００ｈ  第１のサブ無停電電源システム、
８００ｂ，８００ｄ，８００ｆ，８００ｉ  第２のサブ無停電電源システム。
【図１】
2004336856.tif 000003
【図２】
2004336856.tif 000004
【図３】
2004336856.tif 000005
【図４】
2004336856.tif 000006
【図５】
2004336856.tif 000007
【図６】
2004336856.tif 000008